(57)【特許請求の範囲】
【請求項１】
フード外枠と、前記フード外枠の内面に沿う形状の内フードと、遠心送風機と、整流板と、を備え、
前記内フードに第１支持部と第２支持部を設け、
前記整流板は、前記第１支持部と前記第２支持部とで前記内フードに保持され、
前記第２支持部は、前記内フードから突出した突起部として設けられ、
前記整流板に前記第２支持部と係合する係合部を設け、
前記第２支持部は、円柱状の鋼材をＵ字形状にした構成であり、
前記係合部は、ばねと、ツメと、を備え、
前記ツメは、前記第２支持部の開口に挿入されることで前記突起部と係合し、
前記ばねの弾性力により前記ツメと前記突起部との係合もしくは解除を切り替えることを特徴とするレンジフード。
【請求項２】
前記第２支持部を、前記内フードの手前側に設けたことを特徴とする請求項１に記載のレンジフード。
【請求項３】
前記第２支持部を、前記内フードにおいて前記整流板の両端に対応する手前側に設けたことを特徴とする請求項１または２に記載のレンジフード。
【発明の詳細な説明】
【技術分野】
【０００１】
本発明は、ガスコンロ、電磁調理器等の厨房器具の上方に設けられ、調理時に発生する煙や熱気等を収集して屋外に排出するレンジフードの内フードへの整流板の取り付け構成に関するものである。
【背景技術】
【０００２】
従来、この種のレンジフードは、整流板を内フードの第１支持部に引っ掛けて第２支持部でネジ止めされたものが知られている（例えば、特許文献１参照）。
【０００３】
以下、そのレンジフードについて図７を参照しながら説明する。
【０００４】
図７に示すように、フード部１０１と、フード部１０１の開口部Ｍの縁部との間に空気の吸込み風速を増速させる吸込み隙間Ｓを形成する整流板１０２と、フード部１０１に整流板１０２の一端側１０３を着脱、かつ、回動可能に支持する第１支持部１０４と、整流板１０２の他端側１０５を着脱可能に支持する第２支持部１０６とを備えている。
【先行技術文献】
【特許文献】
【０００５】
【特許文献１】特開２０１２−２２９８１９号公報
【発明の概要】
【発明が解決しようとする課題】
【０００６】
このような従来のレンジフードにおいては、（整流板を、第１支持部に引っ掛け、そして、第２支持部へ止めネジで固定し、）コンロから発生する油煙が吸込み隙間から吸い込まれフード部の内面に当たって排気装置内に吸い込まれ少しずつフード部の内面に油が付着して、粘性の高い油が第２部支持部のネジ孔の内面に付着しお掃除する際ふきんや雑巾で拭きにくく、結果、整流板を第２支持部へ止めネジで固定することができない、という課題を有していた。
【０００７】
そこで本発明は、上記従来の課題を解決するものであり、第２支持部に付着した油を容易に拭き取ることができるレンジフードを提供することを目的とする。
【課題を解決するための手段】
【０００８】
そして、この目的を達成するために、本発明の一態様に係るレンジフードは、フード外枠と、前記フード外枠の内面に沿う形状の内フードと、遠心送風機と、整流板と、を備え、前記内フードに第１支持部と第２支持部を設け、前記整流板は、前記第１支持部と前記第２支持部とで前記内フードに保持され、前記第２支持部は、前記内フードから突出した突起部として設けられ、前記整流板に前記突起部と係合する係合部を設け、前記第２支持部は、円柱状の鋼材をＵ字形状にした構成であり、前記係合部は、ばねと、ツメと、を備え、前記ツメは、前記第２支持部の開口に挿入されることで前記突起部と係合し、前記ばねの弾性力により前記ツメと前記突起部との係合もしくは解除を切り替えることとしたものであり、これにより所期の目的を達成するものである。
【発明の効果】
【０００９】
本発明によれば、第２支持部の突起部を係合部に係合させることとなるので、第２支持部に付着した油を容易に拭き取ることができる、という効果を得ることができる。
【図面の簡単な説明】
【００１０】
【図１】本発明の実施の形態１のレンジフードの側面から見た内部構成図
【図２】同レンジフードの整流板の第１支持部を引っ掛けた状態の斜視図
【図３】同レンジフードの整流板に設けた係合部の内部構成図
【図４】本発明の実施の形態２のレンジフードの側面から見た内部構成図
【図５】同レンジフードの整流板の第１支持部を引っ掛けた状態を示す正面図
【図６】同レンジフードの整流板に設けた係合部の拡大図
【図７】従来のレンジフードの側面から見た内部構成図
【発明を実施するための形態】
【００１１】
本発明の一態様に係るレンジフードは、調理器の上方に、フード外枠とフード外枠内面に沿う形状の内フードと、渦巻状のファンケーシング内に遠心ファンを有する遠心送風機と、ファンケーシング天板に遠心ファンを水平方向に回転させるモーターと、前記内フードに第１支持部と第２支持部を設け、前記内フードに第１支持部と第２支持とで係合した整流板を設けたレンジフードであって、前記第２支持部を突起部とし、前記整流板の裏側に前記突起部と係合する係合部を設けた、という構成を有する。これにより、第２支持部の突起部を係合部に係合させることとなるので、第２支持部に付着した油を容易に拭き取ることができる、という効果を奏する。
【００１２】
また、突起部の形状を、円柱状の鋼材をＵ字形状にした、という構成にしてもよい。これにより、係合部にＵ字形状の円柱状の鋼材を挿入しＵ字形状の中央の空間で係合することとなるので、油を容易に拭き取ることができるとともに内フードに整流板を容易に着脱することができる、という効果を奏する。
【００１３】
また、突起部の形状を、円柱とした、という構成にしてもよい。これにより、ふきん等を円柱に巻きつけて下方へ動かすこととなるので、第２支持部に付着した油をより容易に拭き取ることができる、という効果を奏する。
【００１４】
また、突起部を、内フードの手前側に設けた、という構成にしてもよい。これにより、整流板を、第１支持部へ引っ掛け第２支持部の突起部を係合部に係合させる、あるいは、第２支持部の突起部を係合部から外し第１支持部の引っかけを外すこととなるので、内フードに整流板を容易に着脱することができる、という効果を奏する。
【００１５】
また、突起部を、整流板の左右の手前側に２個設けた、という構成にしてもよい。これにより、両手で整流板の両端を持ち、第１支持部へ引っ掛け第２支持部の突起部を係合部に係合させる、あるいは、第２支持部の突起部を係合部から外し第１支持部の引っかけを外すこととなるので、内フードに整流板を安定的に取り付けることができる、という効果を奏する。
【００１６】
以下、本発明の実施の形態について図面を参照しながら説明する。
【００１７】
（実施の形態１）
図１に示すように、ガスやＩＨ等の調理器１の上方に、方形状のフード外枠２とフード外枠２の内面に沿う同じく同形状である方形状であり板形状の内フード３を設ける。
【００１８】
そして、フード外枠２に、フード外枠２が取り付けられている台所の壁面（図示せず）側に、後述する遠心送風機４を取り付けるファンボックス５を設ける。
【００１９】
ここで、遠心送風機４とは、渦巻状のファンケーシング６内に遠心ファン７を有し、ファンケーシング６の天面４２に設けているファンケーシング天板４３に遠心ファン７をワークトップ４４の上面に対して水平方向に回転させる例えば風量制御しやすいＤＣ製のモーター４５とで構成する。
【００２０】
そして、内フード３の調理者に対して奥側に第１支持部８、そして、調理者に対して手前側に第２支持部９を設ける。
【００２１】
そして、内フード３に第１支持部８と第２支持部９とで係合した方形状の整流板１０を設ける。
【００２２】
そして、図２に示すように、第２支持部９の形状を突起部１１とする。
【００２３】
そして、整流板１０の内フード３に対向している裏側１２に突起部１１と係合するラッチの係合部１３を設ける。
【００２４】
そして、突起部１１の形状をＵ字状の円柱状の鋼材１５とする。
【００２５】
ここで、係合部１３の構造を説明する。
【００２６】
図３に示すように、内側に開口１６を設けた金属製の方形状の箱１７の内部１４に、直方体の一方が上面１８から外側の下面１９に向かって膨らんで傾斜した傾斜部２０を有したツメ２１を有し、傾斜部２０は開口１６から飛び出した状態で存在している。
【００２７】
そして、他方は、ツメ２１と箱１７の内面との間にコイルばね２２を介する。
【００２８】
また、箱１７の底面２４には、レバー２３が移動できる開口部２５を設ける。
【００２９】
そして、ツメ２１の下面１９には突起状のレバー２３を設ける。
【００３０】
次に、図２に示すように、整流板１０を内フード３に着脱する方法について説明する。
【００３１】
まず、整流板１０を内フード３に取り付ける場合は、両手で係合部１３付近の整流板１０の両端をつかむ。
【００３２】
そして、内フード３に設けている第１支持部８（図１も参照）に整流板１０に設けた引掛部２６を引っ掛ける。
【００３３】
そして、整流板１０の底面を両手で支え、第１支持部８を支点として整流板１０の前方を上方へ押し上げる。
【００３４】
そして、図３に示すように傾斜部２０を図２に示す突起部１１に接触させる。
【００３５】
そして、更に整流板１０を上方へ押し上げると図３に示すようにコイルばね２２が縮みツメ２１が箱１７に押し込まれていく。
【００３６】
そして、図２に示すように突起部１１が図３に示す傾斜部２０の下面１９を通過すると、コイルばね２２が元に戻りツメ２１が箱１７から図２に示す突起部１１内に押し出される。
【００３７】
そして、突起部１１に傾斜部２０の底面２４が引っ掛かることとなる。
【００３８】
また、図２に示すように、整流板１０を内フード３から取り外す場合は、両手で係合部１３付近の整流板１０の両端をつかむ。
【００３９】
そして、いずれかの指で図３に示すレバー２３を手前に引き、ツメ２１を箱１７にコイルばね２２を縮めて押し込む。
【００４０】
そして、下面１９を突起部１１から外し、図２示すように整流板１０の手前を第１支持部８が目視できる程度まで下げる。
【００４１】
そして、第１支持部８から引掛部２６を外す。
【００４２】
よって、係合部１３にＵ字状の円柱状の鋼材１５を挿入しＵ字形状の中央の空間で係合することとなるので、隙間のない一部品で構成され油を容易に拭き取ることができ、かつ、内フード３に整流板１０を容易に着脱することができる。
【００４３】
（実施の形態２）
図４に示すように、実施の形態１と違うところは、突起部１１の形状を円柱４６としたことである。
【００４４】
また、実施の形態１と同じ構成には同じ符号を付与し、詳細な説明は省略する。
【００４５】
図４に示すように、ガスやＩＨ等の調理器２７の上方に、方形状のフード外枠２８と、フード外枠２８の内面に沿う同じく同形状である方形状であり板形状の内フード２９を設ける。
【００４６】
そして、フード外枠２８に、フード外枠２８が取り付けられている台所の壁面（図示せず）側に、後述する遠心送風機３０を取り付けるファンボックス３１を設ける。
【００４７】
ここで、遠心送風機３０とは、渦巻状のファンケーシング３２内に遠心ファン３３を有し、ファンケーシング３２の天面４７の設けているファンケーシング天板４８に遠心ファン３３をワークトップ４９の上面に対して水平方向に回転させる例えば風量制御しやすいＤＣ製のモーター５０とで構成する。
【００４８】
そして、内フード２９の調理者に対して奥側に第１支持部３４、そして、調理者に対して手前側に第２支持部３５を設ける。
【００４９】
そして、内フード２９に第１支持部３４と第２支持部３５とで係合した方形状の整流板３６を設ける。
【００５０】
そして、第２支持部３５の形状を円柱状の突起部３７とする。
【００５１】
そして、図５に示すように整流板３６の内フード２９に対向している裏側３８に突起部３７と係合するラッチのスイッチ４１を有した係合部３９を設ける。
【００５２】
これにより、第２支持部３５の突起部３７を係合部３９の突起部３７の円柱の直径より僅かに大きい直径の円形状の係合穴４０に挿入して、一般的に用いられている構造で係合させたり外したりすることができる。
【００５３】
つまり、整流板３６を内フード２９に簡単に着脱することができる。
【００５４】
これにより、使い捨ての雑巾（ふきん等でも適用できる）を円柱４６に巻きつけて下方へ動かすことで、第２支持部３５に付着した油をより容易に拭き取ることができる。
【００５５】
また、円柱４６と係合部３９は内フード２９や整流板３６の調理者に対向する面に対して両側、具体的には、整流板１０の両側を両手でつかみ、そして、円柱４６を係合穴４０から外すときに押すスイッチ４１にいずれかの指が届く範囲に設ける。
【００５６】
これにより、両手で整流板３６の両端を持ち、第１支持部３４へ引っ掛けて第２支持部３５の突起部３７を係合部３９に係合させる、あるいは、第２支持部３５の突起部３７を係合部３９から外し第１支持部３４の引っかけを外し、内フード２９に整流板３６を安定的に取り付けることができる。
【産業上の利用可能性】
【００５７】
本発明にかかるレンジフードは、第２支持部に付着した油を容易に拭き取ることができることを可能とするものであるので、厨房に設けている排気装置等として有用である。
【符号の説明】
【００５８】
１    調理器
２    フード外枠
３    内フード
４    遠心送風機
５    ファンボックス
６    ファンケーシング
７    遠心ファン
８    第１支持部
９    第２支持部
１０  整流板
１１  突起部
１２  裏側
１３  係合部
１４  内部
１５  Ｕ字状の円柱状の鋼材
１６  開口
１７  箱
１８  上面
１９  下面
２０  傾斜部
２１  ツメ
２２  コイルばね
２３  レバー
２４  底面
２５  開口部
２６  引掛部
２７  調理器
２８  フード外枠
２９  内フード
３０  遠心送風機
３１  ファンボックス
３２  ファンケーシング
３３  遠心ファン
３４  第１支持部
３５  第２支持部
３６  整流板
３７  突起部
３８  裏側
３９  係合部
４０  係合穴
４１  スイッチ
４２  天面
４３  ファンケーシング天板
４４  ワークトップ
４５  モーター
４６  円柱
４７  天面
４８  ファンケーシング天板
４９  ワークトップ
５０  モーター
【図１】
0006613445.tif 000002
【図２】
0006613445.tif 000003
【図３】
0006613445.tif 000004
【図４】
0006613445.tif 000005
【図５】
0006613445.tif 000006
【図６】
0006613445.tif 000007
【図７】
0006613445.tif 000008